(57)【要約】【課題】加熱調理をしないときに換気手段として使用する場合に、レンジフード周辺の温度が屋外の空気のために大きく変化しないようにした強制同時給排気型のレンジフードとする。【解決手段】排気用ファン２と給気用ファン３を同時に高速回転して屋内の空気を屋外に排出すると同時に、屋外の空気を屋内に供給する強制同時給排気型のレンジフードであって、排気スイッチをＯＮしたときには給気用ファン３を停止して排気用ファン２を低速回転して屋内の空気を少量だけ屋外に排出してレンジフードを換気手段として使用できると共に、屋外の空気がレンジフード周辺に供給されずに、レンジフード周辺の温度が屋外の空気のために大きく変化しないレンジフードとする。【選択図】図１
2011220579.tif 000002
【特許請求の範囲】
【請求項１】
フード１と、排気用ファン２と、給気用ファン３を備えた強制同時給排型のレンジフードであって、
前記レンジフードを給排気運転する給排気スイッチと、前記レンジフードを排気運転する排気スイッチを備え、
前記給排気スイッチをＯＮしたときには、前記排気用ファン２と給気用ファン３がそれぞれ回転し、屋内の空気を屋外に排出すると同時に、屋外の空気を屋内に供給し、
前記排気スイッチをＯＮしたときには、前記給気用ファン３が停止した状態で排気用ファン２が回転し、屋内の空気を屋外に排出し、このときの排出空気量は、前記給排気スイッチをＯＮしたときの排出空気量よりも少ないことを特徴とするレンジフード。
【請求項２】
前記排気用ファン２の排出側に排気用シャッター５を設けると共に、前記給気用ファン３の給気側に給気用シャッター７を設け、
前記給排気スイッチをＯＮしたときには排気用シャッター５、給気用シャッター７をそれぞれ開き、
前記排気スイッチをＯＮしたときには排気用シャッター５、給気用シャッター７をそれぞれ開き、
前記各スイッチがＯＮしないときには排気用シャッター５、給気用シャッター７をそれぞれ閉じるようにした請求項１記載のレンジフード。
【請求項３】
前記排気用ファン２の排出側に排気用シャッター５を設けると共に、前記給気用ファン３の給気側に給気用シャッター７を設け、
前記給排気スイッチをＯＮしたときには排気用シャッター５、給気用シャッター７をそれぞれ開き、
前記排気スイッチをＯＮしたときには排気用シャッター５を開き、給気用シャッター７を閉じ、
前記各スイッチがＯＮしないときには排気用シャッター５、給気用シャッター７をそれぞれ閉じるようにした請求項１又は２記載のレンジフード。
【請求項４】
前記排気用ファン２を回転駆動する排気用電動モータ２０は、高速側の回路２０ａ、低速側の回路２０ｃを備え、
前記給気用ファン３を回転駆動する給気用電動モータ３０は、高速側の回路３０ａを備え、
前記給排気スイッチをＯＮしたときには、前記各高速側の回路２０ａ，３０ａに通電し、
前記排気スイッチをＯＮしたときには、前記低速側の回路２０ｃに通電するようにした請求項１〜３いずれか１項に記載のレンジフード。
【発明の詳細な説明】
【技術分野】
【０００１】
本発明は、ガスレンジ等の加熱調理器具の上方に配置され、加熱調理時に発生する廃ガスや油煙等を捕集して屋内の空気とともに屋外に排出するレンジフードに関する。
【背景技術】
【０００２】
レンジフードとしては、フード本体と排気用ファンと排気用ダクトを備え、その排気用ファンを駆動することで、加熱調理時に発生する廃ガスや油煙等を屋内の空気とともにフード本体内に捕集し、排気用ダクトを通して屋外に排出する排気型レンジフードが一般的である。
最近の住宅は省エネ等のために、屋内を高気密化して屋外の空気が屋内に流入し難くしている。
このような高気密化された住宅にレンジフードを設置する場合、前述したように排気型レンジフードであると、屋内の空気が屋外に排出されるが、その排出空気量に見合うだけ屋外の空気を屋内に取り入れできないので、次第に屋内の空気の圧力と屋外の空気の圧力との差圧が大きくなり、十分な排出空気量を確保できなくなる恐れがある。
【０００３】
このことを解消するために、屋内の空気を屋外に排出すると同時に、屋外の空気を屋内の供給できるようにした強制同時給排気型のレンジフードが提案されている。
例えば、特許文献１に開示したように、フード本体内の空気を屋外に排出する排気用ファンと、屋外の空気をフード本体内に供給する給気用ファンを備え、加熱調理時には排気用ファンと給気用ファンを同時に駆動して調理時に発生した廃ガスや油煙とともに屋内の空気を屋外に排出すると同時に、屋外の空気を屋内に供給できるようにした強制同時給排型のレンジフードが提案されている。
このレンジフードであれば、排出空気量に見合うだけ屋外の空気を屋内に取り入れできるから、屋内の空気の圧力と屋外の空気の圧力との差圧を小さくして十分な排気空気量を確保することができるし、屋内を換気することができる。
【先行技術文献】
【特許文献】
【０００４】
【特許文献１】特開平１０−１９３３１号公報
【発明の概要】
【発明が解決しようとする課題】
【０００５】
前述した強制同時給排気型のレンジフードは、給気用ファンにより屋外の空気がレンジフード（フード本体）周辺に供給されるので、冬季などの屋外が寒いときには温度の低い屋外の空気がレンジフード周辺に供給されるために、レンジフード周辺の温度が急激に低下する。
すなわち、排気用ファンによって多量の屋内の空気を屋外に排出する排気動作時に生じる屋内の空気の圧力と屋外の空気の圧力との差圧を抑えるために、多量の屋外の空気を給気用ファンによりレンジフード周辺といった局所に集中的に供給するため、局所的に急激な温度変化を生じさせてしまうことになる。
【０００６】
前記加熱調理器具を使用して加熱調理しているときには、加熱調理器具が熱源となるので、前述したレンジフード周辺に局所的に供給される屋外の空気による局所的な温度変化が低減されるが、レンジフードは加熱調理具による加熱調理時のみではなく、調理をしていないときに、調理後の消臭のためや屋内の換気のために換気手段として使用することがある。
このような際にも、前述した強制同時給排気型のレンジフードは給気用ファンにより屋外の空気をレンジフード周辺に供給するため、前述した局所的な大きな温度変化を招くことになる。
すなわち、この場合には加熱調理時とは異なり、加熱調理器具が使用されていなく、熱源が無いために、局所的な温度変化は大きなものとなる。
【０００７】
前述したように、強制給排気型のレンジフードは、排気用ファンで屋内の空気を屋外に排出すると同時に、給気用ファンで屋外の空気を屋内に供給するので、加熱調理をしないときにレンジフードを換気手段として使用する際に、給気用ファンで屋外の空気がレンジフード周辺に局所的に供給されるので、そのレンジフード周辺の温度変化が大きなものとなってしまう。
【０００８】
本発明の目的は、加熱調理時に使用する場合には、廃ガスや油煙を効率良く屋外に排出するために、給気用ファンにより屋外の空気を屋内に供給し、加熱調理をしないときに換気手段として使用する場合には、給気用ファンによって屋外の空気を屋内に供給しないようにして、レンジフード周辺の温度が屋外の空気のために大きく変化しないようにできる強制給排気型のレンジフードとすることである。
【課題を解決するための手段】
【０００９】
本発明のレンジフードは、フード１と、排気用ファン２と、給気用ファン３を備えた強制同時給排型のレンジフードであって、
前記レンジフードを給排気運転する給排気スイッチと、前記レンジフードを排気運転する排気スイッチを備え、
前記給排気スイッチをＯＮしたときには、前記排気用ファン２と給気用ファン３がそれぞれ回転し、屋内の空気を屋外に排出すると同時に、屋外の空気を屋内に供給し、
前記排気スイッチをＯＮしたときには、前記給気用ファン３が停止した状態で排気用ファン２が回転し、屋内の空気を屋外に排出し、このときの排出空気量は、前記給排気スイッチをＯＮしたときの排出空気量よりも少ないことを特徴とするレンジフードである。
【００１０】
本発明のレンジフードは、前記排気用ファン２の排出側に排気用シャッター５を設けると共に、前記給気用ファン３の給気側に給気用シャッター７を設け、
前記給排気スイッチをＯＮしたときには排気用シャッター５、給気用シャッター７をそれぞれ開き、
前記排気スイッチをＯＮしたときには排気用シャッター５、給気用シャッター７をそれぞれ開き、
前記各スイッチがＯＮしないときには排気用シャッター５、給気用シャッター７をそれぞれ閉じるようにしたレンジフードとすることができる。
【００１１】
このようにすれば、給気用ファン３を停止して排気用ファン２を回転駆動してレンジフードを換気手段として使用する際に、給気用ファン３の給気側から屋外の空気を屋内に自然流入するので、そのときの排出空気量を多くすることが可能である。
【００１２】
本発明のレンジフードは、前記排気用ファン２の排出側に排気用シャッター５を設けると共に、前記給気用ファン３の給気側に給気用シャッター７を設け、
前記給排気スイッチをＯＮしたときには排気用シャッター５、給気用シャッター７をそれぞれ開き、
前記排気スイッチをＯＮしたときには排気用シャッター５を開き、給気用シャッター７を閉じ、
前記各スイッチがＯＮしないときには排気用シャッター５、給気用シャッター７をそれぞれとじるようにしたレンジフードとすることができる。
【００１３】
このようにすれば、気密度の低い住宅に用いるレンジフードとして好ましい。
【００１４】
本発明のレンジフードは、前記排気用ファン２を回転駆動する排気用電動モータ２０は、高速側の回路２０ａ、低速側の回路２０ｃを設け、
前記給気用ファン３を回転駆動する給気用電動モータ３０は、高速側の回路３０ａを備え、
前記給排気スイッチをＯＮしたときには、前記各高速側の回路２０ａ，３０ａに通電し、
前記排気スイッチをＯＮしたときには、前記低速側の回路２０ｃに通電するようにしたレンジフードとすることができる。
【００１５】
このようにすれば、給排気スイッチをＯＮすることで、排気用電動モータ２０、給気用電動モータ３０が高速回転して排気用ファン２、給気用ファン３がそれぞれ高速回転することができ、屋内の空気を屋外に多量に排出すると同時に、屋外の空気を屋内に多量に供給することができる。
しかも、排気スイッチをＯＮしたときには排気用電動モータ２０が低速回転して排気用ファン２が低速回転し、給気用ファン３は停止しているので、屋内の空気を少量だけ屋外に排出してレンジフードを換気手段として利用できる。
【発明の効果】
【００１６】
本発明によれば、加熱調理時に使用する場合には、給排気スイッチをＯＮすることで、排気用ファン２、給気用ファン３が回転して屋内の空気を屋外に排出すると同時に屋外の空気を屋内に供給するので、加熱調理時に発生した廃ガス、油煙を効率良く屋外に排出でき、高気密化住宅において加熱調理時に発生した廃ガス、油煙を確実に屋外に排出できる。
また、加熱調理をせずに換気手段として使用する場合には、排気スイッチをＯＮすることで、排気用ファン２が回転して屋内の空気を屋外に排出するから、消臭や換気ができると共に、給気用ファン３によって屋外の空気が屋内に供給されないので、レンジフード周辺の温度が屋外の空気のために大きく変化しない。
【図面の簡単な説明】
【００１７】
【図１】本発明の実施の形態を示す強制同時給排気型のレンジフードの正面図である。
【図２】スイッチ装置の説明図である。
【発明を実施するための形態】
【００１８】
図１に示すように、フード１の上面１ａに排気用ファン２と給気用ファン３が設けてあると共に、この各ファンを覆う幕板４が設けてあり、強制同時給排気型のレンジフードとしてある。
前記排気用ファン２の吸込側はフード１内に開口し、吐出側は排気用シャッター５、排気用ダクト６を経て屋外に開口している。
前記給気用ファン３の吸込側は給気用シャッター７、給気用ダクト８を経て屋外に開口し、吐出側は幕板４の開口部４ａと連通している。
前記フード１の前面１ｂにスイッチ装置１０が設けてある。
このスイッチ装置１０は、レンジフードを給排気運転する給排気スイッチ、例えば強スイッチ１１、中スイッチ１２と、レンジフードを排気運転する排気スイッチ、例えば弱スイッチ１３と、切スイッチ１４と、ランプスイッチ１５を備えている。
【００１９】
前記強スイッチ１１を操作してＯＮすると、排気用シャッター５、給気用シャッター７が開となり、排気用ファン２、給気用ファン３を高速回転駆動し、その排気用ファン２で屋内の空気を多量に屋外に排出すると同時に、給気用ファン３で屋内の空気を多量にレンジフード周辺の屋内に供給する。
このようであるから、高気密化された住宅において、加熱調理時に発生した多量の廃ガスや油煙を内気とともに屋外に効率良く排出できる。
【００２０】
すなわち、強スイッチ１１がＯＮしたときには排気用ファン２によって、加熱調理時に多量に発生した廃ガス、油煙を屋内の空気とともに屋外に排出できるように、給気用ファン３で屋外の空気を屋内に供給し、屋内の空気の圧力と屋外の空気の圧力との差圧を小さくする。
【００２１】
前記中スイッチ１２を操作してＯＮすると、前記排気用シャッター５、給気用シャッター７が開となり、排気用ファン２、給気用ファン３を中速回転駆動し、その排気用ファン２で屋内の空気を中量だけ屋外に排出すると同時に、給気用ファン３で屋外の空気を中量だけレンジフード周辺の屋内に供給する。
このようであるから、高気密化された住宅において、加熱調理時に発生した中量の廃ガスや油煙を屋内の空気とともに屋外に効率良く排出できる。
【００２２】
すなわち、中スイッチ１２がＯＮしたときの排気用ファン２の排出空気量は、前述の場合より少なく、給気用ファン３の給気空気量を前述の給気空気量より少なくして屋内の空気の圧力と屋外の空気の圧力の差圧を小さくする。
【００２３】
前記弱スイッチ１３を操作してＯＮすると、排気用シャッター５が開となり、排気用ファン２を低速回転駆動し、その排気用ファン２で屋内の空気を少量屋外に排出するようにする。このとき、給気用ファン３は停止したままの状態とし、屋外の空気をレンジフード周辺の屋内に供給しない。
このようであるから、加熱調理後の消臭や屋内換気のために弱スイッチ１３をＯＮしてレンジフードを換気手段として使用する場合には、レンジフード周辺に屋外の空気が供給されないので、レンジフード周辺の温度が屋外の空気のために変化しないようにできる。
【００２４】
すなわち、高気密住宅であっても、屋外の空気が屋内に流入することがゼロではなく、ドアやサッシ等の隙間から屋外の空気が屋内に流入することがあるし、給気用ダクト８から外気が自然給気することがあるので、前述のように排気用ファン２による屋内の空気の屋外への排出空気量を少量とすることにより、給気用ファン３を強制駆動して屋外の空気を強制的に屋内に供給しなくとも屋内の空気の圧力と屋外の空気の圧力との差圧が過大化せず前述の排出空気量を確保することができる。
【００２５】
前述のように、強スイッチ１１、中スイッチ１２、弱スイッチ１３のいずれか１つがＯＮの状態で、切スイッチ１４を操作してＯＮすると、ＯＮのスイッチがＯＦＦすると共に、排気用シャッター５、給気用シャッター７を閉とする。前記ランプスイッチ１５をＯＮすると図示しないランプが点灯する。
【００２６】
前述の説明で給排気スイッチを強スイッチ１１と中スイッチ１２としたのは、加熱調理時に発生する廃ガス、油煙の量に応じて排出空気量を２段階に調節するためであり、給排気スイッチは１つでも良い。
【００２７】
また、前述の排気スイッチ（弱スイッチ１３）をＯＮしたときに、給気用シャッター７は開、閉のどちらでも良いが、開とすれば、屋外の空気が室内に自然給気し易く、好ましい。
【００２８】
次に、前記スイッチ装置１０の一例を図２に基づいて説明する。
前記強スイッチ１１は第１・第２接点１１ａ，１１ｂを備え、同時のＯＮ，ＯＦＦされる。この第１接点１１ａは排気用ファン２の排気用電動モータ２０の高速側の回路２０ａに接続し、第２接点１１ｂは給気用ファン３の給気用電動モータ３０の高速側の回路３０ａに接続している。
前記中スイッチ１２は第１・第２接点１２ａ，１２ｂを備え、同時にＯＮ，ＯＦＦされる。この第１接点１２ａは前述の排気用電動モータ２０の中速側の回路２０ｂに接続し、第２接点１２ｂは給気用電動モータの中速側の回路３０ｂに接続している。
前記弱スイッチ１３は接点１３ａを備え、ＯＮ，ＯＦＦされる。この接点１３ａは前述の排気用電動モータ３０の低速側の回路３０ｃに接続している。
【００２９】
これにより、強スイッチ１１の第１・第２接点１１ａ，１１ｂがＯＮすると排気用・給気用電動モータ２０，３０が高速回転駆動し、中スイッチ１２の第１・第２接点１２，ａ１２ｂがＯＮすると排気用・給気用電動モータ２０，３０が中速回転駆動し、弱スイッチ３１の接点３１ａがＯＮすると排気用電動モータ２０が低速回転駆動する。
【００３０】
前記ランプスイッチ１５の接点１５ａはランプ４０に接続し、その接点１５ａがＯＮするとランプ４０が点灯する。
【００３１】
前記スイッチ装置１０は補助スイッチ１６を備え、この補助スイッチ１６の接点１６ａは、前記排気用シャッター５、給気用シャッター７の電動モータ５０，７０にそれぞれ接続し、その接点１６ａがＯＮすると電動モータ５０，７０が駆動して排気用シャッター５、給気用シャッター７が開となる。
この補助スイッチ１６は前記弱・中・強スイッチ１３，１２，１１と連動してＯＮ，ＯＦＦ動作し、その弱・中・強いずれか１つのスイッチ１３，１２，１１がＯＮのときには補助スイッチ１６がＯＮで、弱・中・強スイッチ１３，１２，１１が全てＯＦＦの時には補助スイッチ１６がＯＦＦとなる。
【００３２】
このようであるから、弱・中・強スイッチ１３，１２，１１のいずれか１つを操作するのみで、排気用・給気用電動モータ２０，３０と排気用シャッター５、給気用シャッター７の電動モータ５０，７０が同時に駆動し、切スイッチ１４を操作するのみで前述の各電動モータ２０，３０，５０，７０が同時に停止する。
したがって、弱・中・強スイッチ１３，１２，１１と切スイッチ１４のいずれか１つを操作することで、前述の各電動モータ２０，３０，５０，７０を駆動制御できる。
【００３３】
また、中・強スイッチ１２，１１の各接点を排気用・給気用電動モータ２０，３０の各回路に直接的に接続すると共に、弱スイッチ１３の接点を排気用モータ２０の回路に直接的に接続し、補助スイッチ１６の接点１６ａを排気用シャッター５、給気用シャッター７の電動モータ５０，７０の回路に接続すれば良く、スイッチと電動モータを接続する配線作業が簡単である。
【００３４】
また、弱スイッチ１３をＯＮしたときには、排気用シャッタ５を開とし、給気用シャッタ７を閉としても良い。
このようにすれば、低気密度の住宅で前述の隙間などから屋内に流入する屋外空気量が多い場合に用いるレンジフードとして好ましい。
【００３５】
前記スイッチ装置１０は、図２に示した前述のものに限ることはなく、任意のスイッチ装置とすることができる。
例えば、強・中スイッチ１１，１２のＯＮによってリレーをそれぞれ作動し、その各接点を排気用の電動モータ２０、給気用の電動モータ３０の高速側の回路、中速側の回路に設け、弱スイッチ１３のＯＮによってリレーを作動し、その接点を排気用の電動モータ２０の低速側の回路に設けるようにしても良い。
【００３６】
前述の説明では、排気用シャッター５、給気用シャッター７を設けたが、この排気用シャッター５、給気用シャッター７を設けなくとも良い。
【符号の説明】
【００３７】
１…フード、２…排気用ファン、３…給気用ファン、５…排気用シャッター、７…給気用シャッター、１１…強スイッチ（給排気スイッチ）、１２…中スイッチ（給排気スイッチ）、１３…弱スイッチ（排気スイッチ）、２０…排気用電動モータ、２０ａ…高速側の回路、２０ｃ…低速側の回路、３０…給気用電動モータ、３０ａ…高速側の回路。
【図１】
2011220579.tif 000003
【図２】
2011220579.tif 000004